(57)【要約】【課題】  縁なしプリントと縁ありプリントとが混在しているジョブの画像形成時でも画像品質の低下を軽減し、生産性の高い簡単な構成の画像形成装置の提供。【解決手段】  像担持体と、転写手段と、該転写手段のクリーニング手段と、縁ありプリントと縁なしプリントとの出力設定をする縁有無切替設定手段とを有する電子写真方式の画像形成装置において、前記クリーニング手段は、電界により前記転写手段に付着したトナーを像担持体に転移させる電界印加手段と、前記転写手段に付着したトナーを除去するブレードとを有し、前記縁有無切替設定手段により縁なしプリントが設定された場合は、前記ブレードを前記転写手段に当接させて前記転写手段に付着したトナーを除去可能とさせる制御手段を有することを特徴とする画像形成装置。【選択図】        図１
2007057921.tif 000002
【特許請求の範囲】
【請求項１】
像担持体と、転写手段と、該転写手段のクリーニング手段と、縁ありプリントと縁なしプリントとの出力設定をする縁有無切替設定手段とを有する電子写真方式の画像形成装置において、
前記クリーニング手段は、電界により前記転写手段に付着したトナーを前記像担持体に転移させる電界印加手段と、前記転写手段に付着したトナーを除去するブレードとを有し、
前記縁有無切替設定手段により縁なしプリントが設定された場合は、前記ブレードを前記転写手段に当接させて前記転写手段に付着したトナーを除去可能とさせる制御手段を有することを特徴とする画像形成装置。
【請求項２】
縁なしプリント出力設定中に縁ありプリント出力設定に設定変更された場合は、縁なしプリント出力を縁有りプリント出力に切替え、
縁有りプリント出力に切替え後、前記ブレードを前記転写手段から遅延させて当接解除させる前記制御手段を有することを特徴とする請求項１に記載の画像形成装置。
【請求項３】
前記当接解除は、縁有り出力に設定切替え後のプリント出力枚数が所定枚数を越えた時、前記ブレードの前記転写手段からの当接解除を行うものであることを特徴とする請求項２に記載の画像形成装置。
【請求項４】
前記ブレードの前記転写手段への当接及び解除の作動中は縁ありプリント出力及び縁なしプリント出力を停止させる前記制御手段を有することを特徴とする請求項１〜３のいずれか１項に記載の画像形成装置。
【請求項５】
画像のサイズを判断する画像サイズ判断手段と給紙する転写材のサイズを指定する指定手段とを有し、判断された画像サイズが指定された転写材サイズより小さい場合は縁有りプリントとして出力する前記制御手段を有することを特徴とする請求項１〜４のいずれか１項に記載の画像形成装置。
【請求項６】
前記ブレードが前記転写手段に当接し摺動する期間を検知する摺動期間検知手段を有し、前記摺動期間検知手段が所定の摺動期間を検知した場合は、前記ブレードの作動を解除し、前記電界印加手段により前記転写手段に付着したトナーを前記像担持体に転移させる前記制御手段を有することを特徴とする請求項１〜５のいずれか１項に記載の画像形成装置。
【請求項７】
前記摺動期間検知手段はプリント出力枚数をカウントするカウンタを有し、該カウンタのカウント値はブレードの交換によりクリアされ、以降縁なしプリントの出力枚数をカウントし、カウントアップにより摺動する期間が所定期間となったことを検知するものであることを特徴とする請求項６に記載の画像形成装置。
【請求項８】
画像データが縁なしプリントを指定されているか否かを確認する工程と、ブレードが使用可能か否かを判断する工程と、使用可能で有ればブレードが第２転写ローラに当接されているか否かを確認する工程と、縁なしプリントを指定されブレードが使用可能で第２転写ローラにブレードが当接されている場合は縁なしプリントを実行する工程と、
縁なしプリント設定中に縁有りプリントが設定された場合、所定枚数プリント出力するまでブレードの解除を遅延させる工程と、
ブレードが使用不能で有ればブレードが当接状態にあれば解除し、第２転写ローラの電界クリーニングのため電界印加手段をＯＮとし、電界による第２転写ローラのクリーニングを実行する工程とを含むことを特徴とする画像形成装置の制御方法。
【発明の詳細な説明】
【技術分野】
【０００１】
本発明は、複写機、プリンタ、ファクシミリ等の画像形成装置及び画像形成装置の制御方法に関する。
【背景技術】
【０００２】
従来、転写ローラに付着したトナーを除去する方法として、転写ローラにブレードを圧着（当接）させてトナーをブレードで掻き落とす方法（例えば特許文献１参照）、また、転写ローラに付着したトナー電位と逆極性の電界を印加し転写ローラに付着したトナーを像担持体に転移させる方法（例えば特許文献２参照）が知られている。
【特許文献１】特開２００２−２７８０９３号公報
【特許文献２】特開平０５−１１９６４６号公報
【発明の開示】
【発明が解決しようとする課題】
【０００３】
近来、テキストデータのプリントと共に画像をプリントするケースが多くなり、用紙端部に余白を設けた縁ありプリントと、用紙端部に余白を設けない縁なしプリントとを混在してプリント出力する機会が多くなってきた。
【０００４】
しかし、例えば特許文献１に記載のブレードによる転写ローラに転写されたトナーの除去（以下ブレード方式とも記す）では処理枚数が多くなるとブレードが摩耗・損傷し画像品質を劣化させてしまうという問題点、またブレードの動作時に転写ローラの回転速度が変動し画像品質が低下してしまうという問題があった。また、特許文献２に記載の電界印加による転写ローラに転写されたトナーの除去（以下電界印加方式とも記す）では転写ローラのクリーニングに時間が掛かりすぎ生産性を下げてしまうという問題があった。
【０００５】
本発明は、上述したような状況に鑑みてなされたもので、縁なしプリントと縁ありプリントとが混在しているジョブの画像形成時でも画像品質の低下を軽減し、生産性の高い簡単な構成の画像形成装置を提供することを目的とする。
【課題を解決するための手段】
【０００６】
（１）像担持体と、転写手段と、該転写手段のクリーニング手段と、縁ありプリントと縁なしプリントとの出力設定をする縁有無切替設定手段とを有する電子写真方式の画像形成装置において、
前記クリーニング手段は、電界により前記転写手段に付着したトナーを前記像担持体に転移させる電界印加手段と、前記転写手段に付着したトナーを除去するブレードとを有し、
前記縁有無切替設定手段により縁なしプリントが設定された場合は、前記ブレードを前記転写手段に当接させて前記転写手段に付着したトナーを除去可能とさせる制御手段を有することを特徴とする画像形成装置。
【０００７】
（２）縁なしプリント出力設定中に縁ありプリント出力設定に設定変更された場合は、縁なしプリント出力を縁有りプリント出力に切替え、
縁有りプリント出力に切替え後、前記ブレードを前記転写手段から遅延させて当接解除させる前記制御手段を有することを特徴とする（１）に記載の画像形成装置。
【０００８】
（３）前記当接解除は、縁有り出力に設定切替え後のプリント出力枚数が所定枚数を越えた時、前記ブレードの前記転写手段からの当接解除を行うものであることを特徴とする（２）に記載の画像形成装置。
【０００９】
（４）前記ブレードの前記転写手段への当接及び解除の作動中は縁ありプリント出力及び縁なしプリント出力を停止させる前記制御手段を有することを特徴とする（１）〜（３）のいずれか１項に記載の画像形成装置。
【００１０】
（５）画像のサイズを判断する画像サイズ判断手段と給紙する転写材のサイズを指定する指定手段とを有し、判断された画像サイズが指定された転写材サイズより小さい場合は縁有りプリントとして出力する前記制御手段を有することを特徴とする（１）〜（４）のいずれか１項に記載の画像形成装置。
【００１１】
（６）前記ブレードが前記転写手段に当接し摺動する期間を検知する摺動期間検知手段を有し、前記摺動期間検知手段が所定の摺動期間を検知した場合は、前記ブレードの作動を解除し、前記電界印加手段により前記転写手段に付着したトナーを前記像担持体に転移させる前記制御手段を有することを特徴とする（１）〜（５）のいずれか１項に記載の画像形成装置。
【００１２】
（７）前記摺動期間検知手段はプリント出力枚数をカウントするカウンタを有し、該カウンタのカウント値はブレードの交換によりクリアされ、以降縁なしプリントの出力枚数をカウントし、カウントアップにより摺動する期間が所定期間となったことを検知するものであることを特徴とする（６）に記載の画像形成装置。
【００１３】
（８）画像データが縁なしプリントを指定されているか否かを確認する工程と、ブレードが使用可能か否かを判断する工程と、使用可能で有ればブレードが第２転写ローラに当接されているか否かを確認する工程と、縁なしプリントを指定されブレードが使用可能で第２転写ローラにブレードが当接されている場合は縁なしプリントを実行する工程と、
縁なしプリント設定中に縁有りプリントが設定された場合、所定枚数プリント出力するまでブレードの解除を遅延させる工程と、
ブレードが使用不能で有ればブレードが当接状態にあれば解除し、第２転写ローラの電界クリーニングのため電界印加手段をＯＮとし、電界による第２転写ローラのクリーニングを実行する工程とを含むことを特徴とする画像形成装置の制御方法。
【発明の効果】
【００１４】
（１）に記載の発明によれば、電界印加手段とブレードとを有するクリーニング手段を有し、縁なしプリントが設定された場合はブレードを転写手段に当接させて転写手段に付着したトナーを除去可能とさせることにより、縁なしプリントにおいて確実にトナーのクリーニングを可能とした画像形成装置の提供を目的とする。
と縁ありプリントとが混在しているジョブの画像形成時でも画像品質の低下を軽減し、生産性の高い簡単な構成の画像形成装置を提供することを目的とする。
【００１５】
（２）、（３）、（４）に記載の発明によれば、縁なしプリント出力設定中に縁有りプリント出力に切替え後、前記ブレードを前記転写手段から遅延させて当接解除させることにより、頻繁なブレードのＯＮ／ＯＦＦを低減し、ブレードＯＮ／ＯＦＦによる転写ローラ等の回転変動の頻度を低減し、且つブレード移動中はプリント出力を停止させる画像品質の低下を軽減し、かつ生産性の高い画像形成装置の提供が可能となる。
【００１６】
（５）に記載の発明によれば、画像サイズが指定された転写材サイズより小さい場合は縁有りプリントとして出力することにより、不要な縁あり／なしの切替を不要とでき、画像品質の低下を軽減た画像形成装置の提供が可能となる。
【００１７】
（６）、（７）に記載の発明によれば、ブレードが転写手段に当接し摺動する期間が所定時間或いはプリント枚数を超えた場合に電界印加手段電界のクリーニングに切り替えることにより、劣化（例えば破損）したブレードの使用による品質異常を防止可能な画像形成装置の提供が可能となる。
【００１８】
また、（１）〜（７）に記載の発明により、縁なしプリントと縁ありプリントとが混在しているジョブの画像形成時でも画像品質の低下を軽減し、生産性の高い簡単な構成の画像形成装置の提供が可能となる。
【００１９】
（８）に記載の発明によれば、縁なしプリント設定中に縁有りプリントが設定された場合、所定枚数プリント出力するまでブレードの解除を遅延させる工程と、ブレードが使用不能で有ればブレードが当接状態にあれば解除し、第２転写ローラの電界クリーニングのため電界印加手段をＯＮとし、電界による第２転写ローラのクリーニングを実行する工程とを含むことにより、縁なしプリントと縁ありプリントとが混在しているジョブの画像形成時でも画像品質の低下を軽減し、生産性の高い簡単な構成の画像形成装置の制御方法の提供が可能となる。
【発明を実施するための最良の形態】
【００２０】
本発明者は、通常の縁ありプリント時はブレードを解除してプリント出力を行い、
縁なしプリント時はブレードを転写ローラに圧着（当接）して転写ローラに付着したトナーを除去しながらプリント出力を行ない、
縁ありプリントと縁なしプリントの混在ジョブのプリント出力時は、縁なしプリントから縁ありプリントへの切替時に、転写ローラに圧着（当接）していたブレードを遅れて（例えば所定枚数縁なしプリントを処理後）解除することによりブレードの摩耗、損傷を最小限にとどめ画像品質品低下を軽減し、且つブレードの交換周期を長くし生産時間を長くすることにより生産性を低下させないと考え本発明に至った。
【００２１】
以下、本発明の実施の形態について図を参照して説明する。
【００２２】
図１は、画像形成装置を説明するための概念図である。
【００２３】
画像形成装置ＧＳは、その上部に自動原稿送り装置ＡＤＦを備えている。
【００２４】
自動原稿送り装置ＡＤＦの原稿載置台１０１に載置された原稿Ｄは、一枚ずつに分離され原稿搬送路に送り出され、搬送ドラム１０２により搬送される。搬送されている原稿Ｄの原稿画像は原稿画像読み取り位置ＲＰにて原稿読み取り手段１により、読み取りがなされる。読み取りが終了した原稿Ｄは第１搬送ガイドＧ１、および原稿排出ローラ１０５により原稿排紙台１０７に排出される。
【００２５】
原稿Ｄの裏面の原稿画像も読み取る場合には、表面（第１面）の読み取りを終えた原稿Ｄを第１搬送ガイドＧ１により原稿反転ローラ１０６に導き、原稿Ｄの後端部を挟持した状態から反転する前記原稿反転ローラ１０６によって、第１搬送ガイドＧ１、第２搬送ガイドＧ２を経由して、再度、原稿搬送路に送り出す。反転して送り出された原稿Ｄの裏面（第２面）は、表面（第１面）と同様に読み取りがなされた後、原稿排紙台１０７に排出される。
【００２６】
画像形成装置ＧＳは、原稿読み取り手段１、画像書き込み手段２Ｙ、２Ｍ、２Ｃ、２Ｋ、画像形成手段３Ｙ、３Ｍ、３Ｃ、３Ｋ、画像転写手段４、定着手段５、反転排紙手段６、再給紙手段７、給紙手段８、操作表示手段９、制御手段Ｃ１等から構成される。
【００２７】
原稿読取り位置ＲＰにて原稿画像はランプＬにて照射され、その反射光は第１ミラーユニット１１、第２ミラーユニット１２、レンズ１３によって導かれ、撮像素子ＣＣＤの受光面に結像される。撮像素子ＣＣＤにより光電変換された画像信号は、画像読み取り制御部１４にてＡ／Ｄ変換、シェーディング補正、圧縮等の処理がなされ、制御手段Ｃ１のメモリＭ１に原稿画像データとしてストアされる。
【００２８】
メモリＭ１にストアされた前記原稿画像データには、ユーザの指定により、もしくは設定されている条件により適宜な画像処理がなされて、出力画像データが作成される。
【００２９】
前記出力画像データを基に、レーザ光源、ポリゴンミラー、複数のレンズからなる画像書込み手段２Ｙ、２Ｍ、２Ｃ、２Ｋのレーザビームによる、画像形成手段３Ｙ、３Ｍ、３Ｃ、３Ｋの構成要素である感光体３１Ｙ、３１Ｍ、３１Ｃ、３１Ｋの表面への走査がなされて、感光体３１Ｙ、３１Ｍ、３１Ｃ、３１Ｋには潜像が形成される。
【００３０】
感光体３１Ｙの周辺には、帯電手段３２Ｙ、現像手段３３Ｙ、第１転写ローラ３４Ｙ、クリーニング手段３５Ｙが配置されている。感光体３１Ｍ、３１Ｃ、３１Ｋについても同様である。これらの構成は、電子写真方式のカラー画像形成装置に採用されている公知の技術からなる。
【００３１】
感光体３１Ｙ、３１Ｍ、３１Ｃ、３１Ｋ上の潜像は、対応する現像手段３３Ｙ、３３Ｍ、３３Ｃ、３３Ｋにより現像されて、各感光体上にはトナー画像が形成される。感光体３１Ｙ、３１Ｍ、３１Ｃ、３１Ｋ上に形成された前記トナー画像は画像転写手段４の第１転写ローラ３４Ｙ、３４Ｍ、３４Ｃ、３４Ｋにより、転写ベルト４１上の所定位置に逐次転写される。
【００３２】
画像転写手段４の転写ベルト４１上に転写された前記トナー画像は、給紙手段８から給紙され、給紙ローラ８１によって給紙のタイミングが取られて給送されてきた転写材である用紙Ｐに、第２転写ローラ４２によって転写される。
【００３３】
第２転写ローラ４２に付着したトナーは後に詳しく説明する転写手段のクリーニング手段４２１により除去される。
【００３４】
トナー画像の用紙Ｐへの転写を終えた転写ベルト４１はクリーニング手段４３により、表面が清掃され、次の画像転写に供される。
【００３５】
一方、トナー画像を担持した用紙Ｐは、定着手段５に送られ、対向する加圧ローラと加熱ローラとにより加圧加熱されることによって、トナー画像が用紙Ｐへ定着される。
【００３６】
定着手段５による定着処理を終えた用紙Ｐは排紙手段６により搬送され、排紙トレイ１０に排出される。
【００３７】
用紙Ｐを表裏反転して排出する場合には、振り分けガイド６４にて、一旦、用紙Ｐを下方に導き、反転ローラ６２に用紙Ｐの後端部を挟持させた後、これを逆転をさせ、振り分けガイド６４により排紙ローラ６１に導き排紙トレイ１０に排出する。
【００３８】
なお、用紙Ｐの裏面にも画像形成を行う場合には、表面の画像定着を終えた用紙Ｐを振り分けガイド６４により下方にある再給紙手段７に搬送し、再給紙反転ローラ７１により後端部を挟持させた後、逆送することによって用紙Ｐを反転させて、再給紙搬送路７２に送り出し、裏面への画像形成に供する。
【００３９】
図２は、画像形成装置の制御関係を示す部分ブロック図である。
【００４０】
画像形成装置ＧＳの制御手段Ｃ１は、ＣＰＵ、メモリＭ、Ｉ／Ｏポート、通信用インターフェイス、原稿読み取り手段１〜給紙ローラ８１等の各手段を駆動制御するための回路を有するコンピュータシステムである。また、自動原稿送り装置ＡＤＦにある制御手段Ｃ２も、規模は小さいが同様のコンピュータシステムである。制御手段Ｃ１による制御は、メモリＭ内に格納した複数のプログラムを実行させることにより行われる。上記の制御手段Ｃ１と制御手段Ｃ２とは、シリアル通信手段Ｔ２にて接続されている。また、画像形成装置ＧＳは、他の画像形成装置、あるいは情報処理機器との接続が可能で、制御手段Ｃ１は、通信手段Ｔ１を介して他の画像形成装置、あるいは情報処理機器ＩＳとの情報交換を行う。
【００４１】
また、操作表示手段９は縁ありプリントと縁なしプリントとの出力設定をする縁有無切替設定手段を兼ねている。
【００４２】
なお、本図では、本発明の説明に直接関係しないブロックについては記載が省略されている。
【００４３】
図３は、縁ありプリントのみを行う場合のフロー図である。
【００４４】
先ず縁ありプリントを行う場合について図１〜３を参照して説明する。なお以下の制御は制御手段Ｃ１により行われる。
【００４５】
縁ありプリントを行う場合は、操作表示手段９から入力される作像情報（例えば使用用紙サイズ、用紙種類、プリント枚数、プリント濃度等）を読込み、メモリＭ１に作像情報データとしてストアさせる（ステップＳ１０１）。
【００４６】
画像形成起動指令の入力を待つ（ステップＳ１０２）。
【００４７】
入力されると（Ｙ）画像情報を取得するため、自動原稿送り装置ＡＤＦの原稿載置台１０１に載置された原稿Ｄを一枚ずつ取り出し、原稿画像読み取り位置ＲＰにて原稿読み取り手段１により原稿画像の読み取りを行う（ステップＳ１０３）。
【００４８】
ここで、原稿Ｄの裏面の原稿画像も読み取る場合には、表面（第１面）の読み取りを終えた原稿Ｄを前記原稿反転ローラ１０６によって反転し表面（第１面）と同様に裏面（第２面）の、読み取りを行う。
【００４９】
読み取った原稿画像情報を、画像読み取り制御部１４にてＡ／Ｄ変換、シェーディング補正、データ圧縮等の処理を行い、制御手段Ｃ１にて操作表示手段９からの作像情報（例えば使用用紙サイズ、用紙種類、プリント枚数、プリント濃度、余白等）のうち用紙サイズに関する情報にもとづき用紙サイズに応じた縮小、トリミング等を行なう。そしてメモリＭ１に圧縮画像情報としてストアする（ステップＳ１０４）。
【００５０】
帯電手段３２Ｙ、３２Ｍ、３２Ｃ、３２Ｋにより一様帯電された感光体３１Ｙ、３１Ｍ、３１Ｃ、３１Ｋの表面へ、画像書込み手段２Ｙ、２Ｍ、２Ｃ、２Ｋのレーザビームによる圧縮画像情報に基づいた走査がなされ、感光体３１Ｙ、３１Ｍ、３１Ｃ、３１Ｋに潜像を形成する。次いで、対応する現像手段３３Ｙ、３３Ｍ、３３Ｃ、３３Ｋにより現像されて、各感光体上にはトナー画像が形成される（ステップＳ１０５）。
【００５１】
給紙手段８から作像情報（例えば使用用紙サイズ、用紙種類、プリント枚数、等）に応じて所定の用紙Ｐが給紙され、給紙ローラ８１によって画像形成に応じて所定のタイミングが取られて転写領域Ａに送り込まれる（ステップＳ１０６）。
【００５２】
転写領域Ａで送り込まれた用紙Ｐにトナー画像が転写される（ステップＳ１０７）。
【００５３】
トナー画像を担持した用紙Ｐは、定着手段５に送られ、対向する加圧ローラと加熱ローラとにより加圧加熱されることによって、トナー画像が用紙Ｐへ定着される（ステップＳ１０８）。
【００５４】
定着手段５による定着処理を終えた用紙Ｐは排紙手段６により搬送され、排紙トレイ１０に排出される（ステップＳ１０９）。
【００５５】
トナー画像の用紙Ｐへの転写を終えた転写ベルト４１はクリーニング手段４３により、表面が清掃され、次の画像転写に供される。
【００５６】
なお、電源投入時、或いは操作パネル９からオペレータの転写ローラのクリーニング指示があった場合、或いはジョブとジョブの間に、回転する第２転写ローラ４２に所定時間ブレードを圧着（当接）させて第２転写ローラ４２に付着したトナーを掻き落としても良い。
【００５７】
また、電源投入時、或いは操作パネル９からオペレータの転写ローラのクリーニング指示があった場合、或いはジョブとジョブの間に、回転する第２転写ローラ４２に所定時間正負の電圧を交互に印加して第２転写ローラ４２に付着したトナーを転写ベルト４１に転移させても良い。
【００５８】
図４は、転写手段のクリーニング手段の説明図である。
【００５９】
図５は、縁なしプリントのみを行う場合のフロー図である。
【００６０】
図４において転写手段のクリーニング手段４２１は、矢印ｑ方向に回転する第２転写ローラ４２に圧着（当接）可能なブレード４２３と、ブレード４２３を矢印ｒ方向に揺動させるブレード駆動手段４２４と、第２転写ローラ４２に正負の電圧を印加してトナーを第２転写ローラ４２に向けて吸引／反撥させる電界印加手段４２２とを有している。
【００６１】
そして、電界印加手段４２２は、制御手段Ｃ１に接続され正負電圧の切替及びＯＮ／ＯＦＦが制御され、出力が第２転写ローラ４２に接続されている。そして、正負電圧の切替により、第２転写ローラ４２に印加される電圧、すなわち転写領域Ａの電界の向きを変更可能としている。
【００６２】
以下、縁なしプリントを行う場合について図５及び図１、２、４を参照して説明する。なお以下の制御は制御手段Ｃ１により行われる。
【００６３】
操作表示手段９から、作像情報（例えば使用用紙サイズ、用紙種類、プリント枚数、プリント濃度等）を読み込み、メモリＭ１に作像情報データとしてストアさせる（ステップＳ２０１）。
【００６４】
画像形成起動指令の入力を待つ（ステップＳ２０２）。
【００６５】
入力されると（Ｙ）画像情報を取得するため、自動原稿送り装置ＡＤＦ及び原稿読み取り手段１を起動して、自動原稿送り装置ＡＤＦの原稿載置台１０１に載置された原稿Ｄを一枚ずつ取り出し、原稿画像読み取り位置ＲＰにて原稿読み取り手段１により原稿画像の読み取りを行い、１つのジョブ分の原稿の画像を読み取る。そして、操作表示手段９からの作像情報（例えば使用用紙サイズ、用紙種類、プリント枚数、プリント濃度、余白等のうち使用用紙サイズ、余白等の用紙サイズに関する情報）により読み取った原稿画像情報のＡ／Ｄ変換、シェーディング補正、等の処理を行い、縮小、トリミングをせずに制御手段Ｃ１のメモリＭ１に縁なし画像情報としてストアさせる。
【００６６】
ここで、縁なしプリントとする場合はオペレータにより使用用紙サイズよりも大きなサイズの画像を有する原稿が原稿載置台１０１に載置される（ステップＳ２０３）。
【００６７】
また、原稿Ｄの裏面の原稿画像も読み取る場合には、表面（第１面）の読み取りを終えた原稿Ｄを前記原稿反転ローラ１０６によって反転し表面（第１面）と同様に裏面（第２面）の、読み取りがなされる。
【００６８】
帯電手段３２Ｙ、３２Ｍ、３２Ｃ、３２Ｋにより一様帯電された感光体３１Ｙ、３１Ｍ、３１Ｃ、３１Ｋの表面へ、画像書込み手段２Ｙ、２Ｍ、２Ｃ、２Ｋのレーザビームによる縁なし画像情報に基づいた走査がなされ、感光体３１Ｙ、３１Ｍ、３１Ｃ、３１Ｋに潜像を形成する。次いで、対応する現像手段３３Ｙ、３３Ｍ、３３Ｃ、３３Ｋにより現像されて、各感光体上にはトナー画像が形成される（ステップＳ２０４）。
【００６９】
給紙手段８から作像情報（例えば使用用紙サイズ、用紙種類、プリント枚数、等）に応じて使用用紙サイズの用紙Ｐが給紙され、給紙ローラ８１によって画像形成タイミングに応じて所定のタイミングが取られて転写領域Ａに送り込まれる（ステップＳ２０５）。
【００７０】
送り込まれた用紙Ｐに転写領域Ａで複数色のトナー画像が一括転写される。
【００７１】
また、転写中はブレード４２３がブレード駆動手段４２４の作動により時計方向に付勢されブレード先端が第２転写ローラ４２に所定の圧力で圧着（当接）されることにより第２転写ローラ４２に付着したトナーが掻き落とされる。
【００７２】
また、トナー画像の用紙Ｐへの転写を終えた転写ベルト４１はクリーニング手段４３により、表面が清掃され、次の画像転写に供される。
【００７３】
トナー画像を担持した用紙Ｐは、定着手段５に送られ、対向する加圧ローラと加熱ローラとにより加圧加熱されることによって、トナー画像が用紙Ｐへ定着される（ステップＳ２０７）。
【００７４】
定着手段５による定着処理を終えた用紙Ｐは排紙手段６により搬送され、排紙トレイ１０に排出される（ステップＳ２０８）。
【００７５】
図６は、縁なしプリントと縁ありプリントとを混在してプリントする場合を説明するフロー図である。
【００７６】
画像形成中（ステップＳ３０１）に、次に画像形成する画像データが縁なしプリントを指定されているか否かを確認する（ステップＳ３０２）。
【００７７】
縁なしプリントの場合（Ｙ）は次に画像形成する画像データサイズと指定されている用紙サイズとを比較して、画像データサイズが用紙サイズより大きな場合は、はみ出し領域有り（縁なしプリント）と判断する（ステップＳ３０３）。
【００７８】
はみ出し領域有りと判断すると（Ｙ）ブレード４２３が使用可能か否かを判断する。これは例えば現在使用中のブレード４２３に交換後、ブレード４２３が第２転写ローラ４２
に当接し摺動する期間を検知する摺動期間検知手段が所定の摺動期間を検知した場合、すなわち、第２転写ローラ４２の何回転分ブレード４２３を（Ｙ）第２転写ローラ４２に当接・摺動したかをカウントするカウンタ、を設け、このカウンタが所定回転数（例えば１万〜１０万回転）をカウントアップすることにより使用限度時期の検知が可能となる。また、プリント出力枚数をカウントするカウンタをブレードの交換時にクリアし以降プリントの出力枚数をカウントし、カウントアップにより使用限度時期の検知が可能となる（ステップＳ３０４）。
【００７９】
使用可能（例えばカウントアップ以前）で有れば（Ｙ）ブレード４２３が第２転写ローラ４２に圧着（当接）されているか否かを確認する（ステップＳ３０５）。
【００８０】
圧着（当接）されていれば（Ｙ）縁なしプリント可能と判断し、ステップＳ３０２における次に画像形する画像データに対応する縁なしプリントを実行する（ステップＳ３０６）。
【００８１】
次の画像データが有るか否か確認する（ステップＳ３０７）。
【００８２】
次の画像データが有れば（Ｙ）次の画像データを読み出し次画像データに対応する画像形成を行うためステップＳ３０２にジャンプする。
【００８３】
次の未処理の画像データがなければ当該ジョブは完了したと判断して、次のジョブがあるか否かを確認する（ステップＳ３０８）。次ジョブがある場合（Ｙ）は次ジョブのプリント出力を行うためステップＳ３０２にジャンプして次ぎジョブに対する画像データのプリント出力を行う。
【００８４】
次ジョブがない場合（Ｎ）は全てのジョブ完了と判断してブレード４２３を第２転写ローラ４２から解除してフローを完了する（ステップＳ３０９）。
【００８５】
ステップＳ３０３において、はみ出し領域なし（縁ありプリント）と判断された場合は（Ｎ）、縁有りプリントを行うため後述のステップＳ３２１にジャンプする。
【００８６】
ステップＳ３０４において、ブレード４２３が使用不能（例えばカウントアップ完了）で有れば（Ｎ）ブレード４２３が劣化・破損の可能性有りと判断し、ブレードが圧着（当接）状態に有れば解除し、第２転写ローラ４２の電界クリーニングのため電界印加手段４２２をＯＮとし、転写領域Ａに電界を発生させて電界印加手段４２２により第２転写ローラ４２に付着したトナーを転写ベルト４１に転移させ、電界による第２転写ローラ４２のクリーニングを実行する（ステップＳ３１０）。この場合、ステップＳ３０６においては前後の記録紙の間隔が転写領域Ａ通過中に第２転写ローラ４２の電界クリーニングを実行しながら縁なしプリントを行う。
【００８７】
ステップＳ３０５において、ブレード４２３が圧着（当接）済みでない場合は（Ｎ）画像形成手段３Ｙ、３Ｍ、３Ｃ、３Ｋ等による作像時期及び給紙ローラ８１による用紙給紙時期をブレード４２３の圧着（当接）作動必要時間分だけ遅延させる（ステップＳ３１１）。
【００８８】
ブレード４２３を遅延時間中に圧着（当接）させる（ステップＳ３１２）。
【００８９】
ステップＳ３０２で縁なしプリントでない場合（Ｎ）は、縁有りプリントと判断してブレードが第２転写ローラ４２に圧着（当接）されているか否かを確認する（ステップＳ３２０）
圧着（当接）されている場合（Ｙ）縁有りプリントのプリント出力を実行する（ステップＳ３２１）。
【００９０】
縁有りプリント設定前の縁なしプリント出力枚数及び縁有りプリント設定後の縁有りプリント出力枚数をカウントして所定枚数プリント出力したか否かを確認する（ステップＳ３２２）。
【００９１】
所定枚数プリント出力未了の場合（Ｎ）、ステップＳ３０７にジャンプして次画像以降のプリントアウトを行う。
【００９２】
所定枚数プリント出力した場合（Ｙ）、縁有りプリントを停止する（ステップＳ３２３）。
【００９３】
ブレード４２３を第２転写ローラ４２から圧着（当接）解除する（ステップＳ３２４）。そしてステップＳ３０７にジャンプして次画像以降のプリントアウトを行う。
【００９４】
ステップＳ３２０において、圧着（当接）されていない場合（Ｎ）縁有りプリントを実行し（ステップＳ３２５）、ステップＳ３０７にジャンプして次画像以降のプリントアウトを行う。
【図面の簡単な説明】
【００９５】
【図１】画像形成装置を説明するための概念図である。
【図２】画像形成装置の制御関係を示す部分ブロック図である。
【図３】縁ありプリントのみを行う場合のフロー図である。
【図４】転写手段のクリーニング手段の説明図である。
【図５】縁なしプリントのみを行う場合のフロー図である。
【図６】縁なしプリントと縁ありプリントとを混在してプリントする場合を説明するフロー図である。
【符号の説明】
【００９６】
２Ｙ、２Ｍ、２Ｃ、２Ｋ  画像書き込み手段
３Ｙ、３Ｍ、３Ｃ、３Ｋ  画像形成手段
４  画像転写手段
５  定着手段
８  給紙手段
９  操作表示手段
８  給紙手段
４１  転写ベルト
４２  第２転写ローラ
９１  用紙間隔設定画面
４２１  転写手段のクリーニング手段
４２２  電界印加手段
４２３  ブレード
Ａ  転写領域
Ｃ１  制御手段
Ｄ  原稿
ＧＳ  画像形成装置
Ｍ  メモリ
Ｍ１  メモリ
Ｐ  用紙
【図１】
2007057921.tif 000003
【図２】
2007057921.tif 000004
【図３】
2007057921.tif 000005
【図４】
2007057921.tif 000006
【図５】
2007057921.tif 000007
【図６】
2007057921.tif 000008